(57)【要約】【課題】冷却機能を有する備え付け方式のバスピローにおいて、枕体の外観を浴場の景観に調和させることができるようにする。【解決手段】入浴者の頭部が当てられる枕体３０を透明樹脂管とし、枕体３０の内部空間の上側が冷却路となるように観賞材３１を内底に敷き、枕体３０を前記冷却剤の給排口２０ｃ、２０ｃに連通させ、枕体３０の内部に入れた観賞材３１を外から透視可能とし、観賞材３１の移動を給排口２０ｃ、２０ｃ間で一定範囲内に規制する仕切り４０を設けた。【選択図】図３
0003120869.tif 000002
【実用新案登録請求の範囲】
【請求項１】
入浴者の頭部が当てられる枕体の内部に冷却剤が流れる冷却路を設け、この冷却路を前記冷却剤の供給口と排出口とに連通させたバスピローにおいて、前記冷却路の内部に入れた観賞材を前記枕体の外から透視可能とし、前記観賞材の移動を前記供給口と前記排出口との間で一定範囲内に規制する仕切りを設けたことを特徴とするバスピロー。
【請求項２】
前記枕体を透明樹脂管から構成し、この透明樹脂管の内部空間を前記冷却路とした請求項１に記載のバスピロー。
【請求項３】
前記冷却剤を水とし、前記観賞材を水よりも比重が重い石材とし、前記観賞材を前記冷却路の上側が空くように敷いた請求項１または２に記載のバスピロー。
【請求項４】
並設された複数の浴槽ごとに前記枕体を独立配置し、隣接する浴槽に配された枕体の冷却路同士を接続し、前記供給口を並び一端の冷却路に接続し、前記排出口を並び他端の冷却路に接続した請求項１から３のいずれかに記載のバスピロー。
【考案の詳細な説明】
【技術分野】
【０００１】
この考案は、寝風呂に浸かる入浴者、半身入浴者などの頭部を支える枕体を有するバスピローに関する。
【背景技術】
【０００２】
寝風呂の入浴者や半身浴を行う入浴者は、入浴時間が長くなりがちである。そこで、入浴者が楽な姿勢で浸かれるようにするため、浴場の室壁や浴槽にバスピローを設けることが広く行われている。
【０００３】
そのようなバスピローの中には、枕体内に冷却剤が流れる冷却路を一体に設け、この冷却路に前記冷却剤の供給口と排出口とを接続したものもある。一般に、冷却剤には、冷水が利用されている。このような冷却機能を有するバスピローによれば、入浴者が過度に冷たく感じることを避けつつ、長時間の入浴に伴うのぼせ上りを防止することができる（例えば、特許文献１参照）。
【０００４】
【特許文献１】特開２００５−１７７２２０号公報
【考案の開示】
【考案が解決しようとする課題】
【０００５】
しかしながら、上記従来例のような備え付けのバスピローは、未利用状態の場合、浴槽の近傍に位置する枕体が目立ち易い。このため、御影石作りなどで高級感を出した業務浴場では、枕体が浴場の景観を損ねないように配慮することが求められる。
【０００６】
そこで、この考案の課題は、冷却機能を有する備え付け方式のバスピローにおいて、枕体の外観を浴場の景観に調和させることができるようにすることにある。
【課題を解決するための手段】
【０００７】
上記の課題を解決するため、この考案は、入浴者の頭部が当てられる枕体の内部に冷却剤が流れる冷却路を設け、この冷却路を前記冷却剤の供給口と排出口とに連通させたバスピローにおいて、前記冷却路の内部に入れた観賞材を前記枕体の外から透視可能とし、前記観賞材の移動を前記供給口と前記排出口との間で一定範囲内に規制する仕切りを設けた構成を採用した。
【考案の効果】
【０００８】
この考案は、前記冷却路の内部に入れた観賞材を前記枕体の外から透視可能とした構成を採用したことにより、浴場の雰囲気に合わせて観賞材を選択し、これを枕体の外から透視させることが可能なので、枕体の外観を浴場の景観に調和させることができる。
ここで、この考案は、前記観賞材の移動を前記供給口と前記排出口との間で一定範囲内に規制する仕切りを設けた構成を採用することにより、観賞材が冷却剤の流れに運ばれて排出口や供給口に達することを防止することができる。このため、冷却路を観賞材の収容空間に利用しても、冷却剤の給排配管系に支障が生じる恐れはない。
【考案を実施するための最良の形態】
【０００９】
以下、この考案の実施形態に係るバスピローを図面に基づいて説明する。
図１は、浴場の浴槽設置部分を上方から視た様子を示している。図１に示すように、浴場には、上面視で略矩形に形成された浴槽１０、１０、１０、１０が互いの長手側の側壁部で連続するように並設されている。各浴槽１０は、御影石などの石材から構築されている。
【００１０】
各浴槽１０は、一短手側に向けて水深が浅くなる傾斜を有しており、一短手側に頭を向けた入浴者の背中が僅かに起き、足が伸びた状態で自然な姿勢となるように設けられた、いわゆる寝風呂となっている。
【００１１】
各浴槽１０の側壁部には、手すり１１が設けられており、入浴者（図１中に２点鎖線で示した）が浴槽１０に出入りし易くなっている。
【００１２】
各浴槽１０の一短手側には、入浴者の頭部が当てられる枕体３０が独立配置されている。
【００１３】
図２に示すように、各枕体３０は、透明樹脂管からなる。透明樹脂管には、例えば、安全性、耐久性の点で塩化ビニルホース製のものが好ましく、頭部を支持するのに好適な管外径として概ね８０ｍｍ前後のものが好ましい。
【００１４】
なお、枕体３０は、その外から観賞材３１を透視することが可能に設けてあればよい。例えば、曇りを有する半透明の強化ガラス管や樹脂管を用いることもできる。また、枕体３０の長さ方向で一定範囲のみを透明管で構成し、その管内にのみ観賞材３１を入れることも可能である。また、各枕体３０は、複数部材で構成することもでき、例えば、強化ガラスの外周に透明な柔軟部材を巻き付けたもので構成することができる。
【００１５】
各枕体３０の内部空間には、その上側が空くように観賞材３１が入れられている。なお、観賞材３１は、瑪瑙からなり、各枕体３０の底を覆うよう敷かれている。
【００１６】
図１に示すように、各枕体３０の両端は、各々の枕体３０の両側に設けられた箱体２０、２１、２１、２１、２０により支持されている。
【００１７】
箱体２１の部分を例に具体的に述べると、図３に示すように、箱体２１は上部体２１ａと下部体２１ｂとに２分割されており、両部２１ａ、２１ｂを固着することで箱状とされている。下部体２１ｂは浴槽１０の上端面に固着されている。
【００１８】
箱体２１の内部には、隣接する浴槽１０、１０に配された枕体３０、３０の冷却路同士を接続する管継ぎ手２１ｃが設置されている。
【００１９】
管継ぎ手２１ｃは、下部体２１ｂの内底面の中間に設けられた突出部分で支持されている。管継ぎ手２１ｃの両端部外周に枕体３０、３０の内周が嵌合され、枕体３０、３０の外周からホースバンド２１ｄ、２１ｄで締め付けられている。
【００２０】
なお、図１、図４に示すように、並び両端の箱体２０、２０の内部には、冷却剤の循環路２０ａに接続されたエルボ継ぎ手２０ｂが設置されている。ここで、並び一端側のエルボ継ぎ手２０ｂの口部２０ｃは冷却剤の供給口となっており、並び他端側の口部２０ｃは冷却剤の排出口となっている。なお、冷却剤には水が用いられている。
【００２１】
図３、図４に示すように、各継ぎ手２０ｂ、２１ｃの口部には、前記観賞材３１を捕捉し、かつ冷却剤を通過させる仕切り４０が設けられている。したがって、観賞材３１の移動は、前記供給口と前記排出口との間で、各仕切り４０によりそれぞれの枕体３０内に規制される。
【００２２】
なお、各仕切り４０は、観賞材３１を捕捉し、かつ冷却剤を通す目皿部４１と、目皿部４１の外周縁に沿って設けられた周壁４２とを有しており、この周壁４２を各継ぎ手２０ｂ、２１ｃの口部内周に圧入嵌合することにより取り付けられている。仕切り４０には、例えば、ステンレスや樹脂製のネット等を用いることも可能である。
【００２３】
この実施形態に係るバスピローは上記の構成を有するものであり、各枕体３０の内部空間は、各仕切り４０を介して冷却剤の給排口２０ｃ、２０ｃに連通し、また、冷却剤が流れる冷却路になる。このため、冷却剤は、並び一端の浴槽１０に配された枕体３０から順に並び他端の浴槽１０の枕体３０に流れていく。観賞材３１が各枕体３０から流出することは各仕切り４０で確実に防止される。
【００２４】
ここで、各枕体３０の内部空間には、その上側が空くよう観賞材３１が入れられているので、各枕体３０に頭部が当てられると入浴者の頭部が冷却される。
【００２５】
また、冷却剤が各枕体３０の内部空間の上側を流れるため、頭部を当てられる際に枕体３０の変形が冷却剤により抑制される結果、観賞材３１が頭部を打つことも防止される。
【００２６】
また、枕体３０の内部圧力、透明樹脂管の柔軟性は、枕体３０に冷却剤が流れる状態で前記頭部の重みにより枕体３０が凹むように選択されている。これにより、頭部と枕体３０との接触感が良好になっている。
【００２７】
また、この実施形態では、観賞材３１を石材としたので、各浴槽１０の構築に用いられた御影石などの石材との調和を図ることができる。
【００２８】
また、この実施形態では、冷却剤を水とし、観賞材３１を水よりも比重が重い石材としたので、枕体３０の内底に敷かれた観賞材３１が冷却剤に流され難い。
特に、この実施形態では、観賞材３１に瑪瑙を用いたので、枕体３０の外観により観賞材３１と冷却剤（水）とで清流の雰囲気を醸し出すことができる。
【００２９】
なお、観賞材３１は、冷却剤との接触で劣化し難くいものを浴場の雰囲気に合わせて適宜に選択すればよい。例えば、天然石、樹脂ペレット、ガラス玉などが挙げられる。枕体３０の内部に観賞材３１を接着等で固定してもよい。
【００３０】
また、業務浴場では、枕体３０が頻繁に利用されるので痛み易く、交換を迫られる場合もある。このような場合、この実施形態では、冷却路に観賞材３１を入れた構成の採用により、枕体３０の交換時に観賞材３１を再利用することができる。
【００３１】
特に、この実施形態では、各枕体３０を浴槽ごとに独立配置としたので、浴槽１０ごとに枕体３０を交換することができる。
【００３２】
しかも、この実施形態では、枕体３０を透明樹脂管から構成し、この透明樹脂管の内部空間を冷却路としたので、枕体が格別に複雑な構造とならない。
【００３３】
さらに、この実施形態では、各枕体３０と継ぎ手２０ｂ、２１ｃとの間に仕切り４０を設けたので、各枕体３０から観賞材３１が流出せず、冷却剤の給排口２０ｃ、２０ｃや継ぎ手２１ｃに入り込むことが防止される。このため、この実施形態に係るバスピローは、メンテナンス性に優れ、業務浴場に特に好適なものである。
【図面の簡単な説明】
【００３４】
【図１】実施形態に係るバスピローの全体構成を示す上面図
【図２】図１の枕体の一部を切り欠いて示す拡大上面図
【図３】（ａ）図１の箱体の内部を示す部分拡大横断正面図、（ｂ）図１の箱体の縦断側面図
【図４】（ａ）図１の枕体と冷却剤の給排口との接続を示す一部切り欠き正面図、（ｂ）図３（ａ）、図４（ａ）に示した仕切りの拡大正面図
【符号の説明】
【００３５】
１０  浴槽
２０、２１  箱体
２０ｃ、２０ｃ  供給口、排出口
３０  枕体
３１  観賞材
４０  仕切り
【図１】
0003120869.tif 000003
【図２】
0003120869.tif 000004
【図３】
0003120869.tif 000005
【図４】
0003120869.tif 000006